(57)【要約】【課題】  表裏交互に形成された溝部１に断熱材３が充填された波板２を内包する断熱性コンクリート板について、波板２とコンクリート４との一体化力を高め、強度を向上させる。【解決手段】  底部幅Ｗ1より開口部幅Ｗ2が狭い断面形状の溝部１を有する波板２を用い、溝部１に、当該溝部１の上部を満たすことなく断熱材３が充填されていると共に、溝部１の上部に、波板２の表裏を覆うコンクリート４の一部が充填された断熱性コンクリート板とする。【選択図】      図１
2005248455.tif 000002
【特許請求の範囲】
【請求項１】
表裏交互に形成された溝部に断熱材が充填された波板を内包する断熱性コンクリート板において、波板の溝部が、底部幅より開口部幅が狭い断面形状をなし、この溝部に、当該溝部の上部を満たすことなく断熱材が充填されており、しかも溝部の上部には、波板の表裏を覆うコンクリートの一部が充填されていることを特徴とする断熱性コンクリート板。
【請求項２】
断熱材が、波板の相隣接する表面側と裏面側の溝部にそれぞれ充填された断熱材の上部同志が溝部の幅方向に重なる厚さで充填されていることを特徴とする請求項１に記載の断熱性コンクリート板。
【請求項３】
断熱材の厚さが、溝部の深さの３／５〜４／５であることを特徴とする請求項２に記載の断熱性コンクリート板。
【請求項４】
波板の表面側と裏面側にそれぞれ鉄筋が配設されていることを特徴とする請求項１〜３のいずれか１項に記載の断熱性コンクリート板。
【請求項５】
鉄筋が、溝部の長さ方向と幅方向にそれぞれ配設されており、しかも溝部の幅方向に沿って配設された鉄筋が溝部の長さ方向に沿って配設された鉄筋より多数又は太いことを特徴とする請求項４に記載の断熱性コンクリート板。
【請求項６】
表裏交互に形成された溝部に断熱材が充填された波板を内包する断熱性コンクリート板の製造方法において、上下に対向する表面板及び裏面板と、表面板及び裏面板間の周側を囲む側面板とからなり、少なくとも表面板及び裏面板が着脱可能な型枠を用い、表面板を外した型枠内に、波板を、表面上に流し込んだコンクリートの裏面側への回り込みを抑制できる状態で設置し、型枠内への波板の設置前又は設置後に溝部に断熱材を充填した波板の表面上にコンクリートを流し込んだ後、表面板を閉じて型枠を裏返しにして、裏面板を外して、型枠内への波板の設置前又は裏面板の取り外し後に溝部に断熱材を充填した波板の裏面上にコンクリートを流し込むことを特徴とする断熱性コンクリート板の製造方法。
【請求項７】
型枠内への波板の設置を、波板と裏面板間にスペーサを介在させて行うことを特徴とする請求項７に記載の断熱性コンクリート板の製造方法。
【請求項８】
波板の裏面上にコンクリートを流し込んだ後、裏面板を閉じて、波板の溝部の長さ方向に型枠を立て、振動を加えることを特徴とする請求項６又は７に記載の断熱性コンクリート板の製造方法。
【請求項９】
断熱材を、溝部の上部を満たすことなく充填することを特徴とする請求項６〜９のいずれか１項に記載の断熱性コンクリート板の製造方法。
【請求項１０】
底部幅より開口部幅が狭い断面形状の溝部を有する波板を用いることを特徴とする請求項９に記載の断熱性コンクリート板の製造方法。
【請求項１１】
型枠内に波板を設置した後、型枠内への波板の設置前又は設置後に溝部に断熱材を充填した波板の表面上に鉄筋を配設してから波板の表面上へのコンクリートを流し込みを行い、型枠を裏返して裏面板を外した後、型枠内への波板の設置前又は裏面板の取り外し後に溝部に断熱材を充填した波板の裏面上に鉄筋を配設してから波板の裏面上へのコンクリートを流し込みを行うことを特徴とする請求項６〜１０のいずれか１項に記載の断熱性コンクリート板の製造方法。
【発明の詳細な説明】
【技術分野】
【０００１】
本発明は、建物の構造壁、間仕切り壁、床板などとして用いられるコンクリート板であって、特に表裏交互に形成された溝部に断熱材が充填された波板を内包する断熱性コンクリート板及びその製造方法に関する。
【背景技術】
【０００２】
従来、表裏交互に形成された溝部に断熱材が充填された波板を内包する断熱性コンクリート板及びその製造方法としては、底部幅より開口部幅が広い、断面逆台形状の溝部（断面台形状の突部）を有する波板を用い、波板の下面側を、型枠内に流し込んだ下層コンクリート中に途中まで押し込んで、下面側の溝部の底部側を中空部として残し、波板の上面側に防水シートを被せた後、防水シート上から上層コンクリートを流し込むことで、上面側の溝部も中空部として残し、これらの各中空部に発泡樹脂を注入充填したものが知られている（例えば、特許文献１及び２参照）。
【０００３】
【特許文献１】特開平１０−２５８５４号公報
【特許文献２】特開平１０−３４６４０号公報
【発明の開示】
【発明が解決しようとする課題】
【０００４】
しかしながら、上記従来の断熱性コンクリート板における波板と下層コンクリートは、波板下面の一部とコンクリートの面接着力によって接合されているだけであり、特に波板と上層コンクリートは、両者間に介在された防水シートで分離されているので、実質的に波板とコンクリートが接着されていない状態となる。このため、波板と上層及び下層コンクリート、とりわけ波板と上層コンクリートが剥離しやすく、高い強度が得にくい問題がある。
【０００５】
一方、上記従来の断熱性コンクリート板の製造方法は、波板の上面側の溝部を中空部として残すために防水シートを被せなければならず、上記強度低下の原因となっているばかりか、手間的及び材料的にコストアップの原因となる。また、断熱材の注入を、上層及び下層コンクリートを流し込んで硬化させた後、コンクリート板の側端面に残される溝部の開口部から行わなければならず、作業性が悪いだけでなく、均一な注入が阻害されやすい問題もある。
【０００６】
本発明は、上記従来の問題点に鑑みてなされたもので、表裏交互に形成された溝部に断熱材が充填された波板を内包する断熱性コンクリート板について、波板とコンクリートの一体化力を高め、強度を向上させると共に、強度低下の原因となっている防水シートを用いることなく、作業性良く容易に製造することができるようにすることを目的とする。
【課題を解決するための手段】
【０００７】
上記目的のために、本発明の第１は、表裏交互に形成された溝部に断熱材が充填された波板を内包する断熱性コンクリート板において、波板の溝部が、底部幅より開口部幅が狭い断面形状をなし、この溝部に、当該溝部の上部を満たすことなく断熱材が充填されており、しかも溝部の上部には、波板の表裏を覆うコンクリートの一部が充填されていることを特徴とする断熱性コンクリート板を提供するものである。
【０００８】
上記本発明の第１は、断熱材が、波板の相隣接する表面側と裏面側の溝部にそれぞれ充填された断熱材の上部同志が溝部の幅方向に重なる厚さで充填されていること、
断熱材の厚さが、溝部の深さの３／５〜４／５であること、
波板の表面側と裏面側にそれぞれ鉄筋が配設されていること、
鉄筋が、溝部の長さ方向と幅方向に配設されており、しかも溝部の幅方向に沿って配設された鉄筋が溝部の長さ方向に沿って配設された鉄筋より多数又は太いこと、
をその好ましい態様として含むものである。
【０００９】
また、本発明の第２は、表裏交互に形成された溝部に断熱材が充填された波板を内包する断熱性コンクリート板の製造方法において、上下に対向する表面板及び裏面板と、表面板及び裏面板間の周側を囲む側面板とからなり、少なくとも表面板及び裏面板が着脱可能な型枠を用い、表面板を外した型枠内に、波板を、表面上に流し込んだコンクリートの裏面側への回り込みを抑制できる状態で設置し、型枠内への波板の設置前又は設置後に溝部に断熱材を充填した波板の表面上にコンクリートを流し込んだ後、表面板を閉じて型枠を裏返しにして、裏面板を外して、型枠内への波板の設置前又は裏面板の取り外し後に溝部に断熱材を充填した波板の裏面上にコンクリートを流し込むことを特徴とする断熱性コンクリート板の製造方法を提供するものである。
【００１０】
上記本発明の第２は、型枠内への波板の設置を、波板と裏面板間にスペーサを介在させて行うこと、
波板の裏面上にコンクリートを流し込んだ後、裏面板を閉じて、波板の溝部の長さ方向に型枠を立て、振動を加えること、
断熱材を、溝部の上部を満たすことなく充填すること、
底部幅より開口部幅が狭い断面形状の溝部を有する波板を用いること、
型枠内に波板を設置した後、型枠内への波板の設置前又は設置後に溝部に断熱材を充填した波板の表面上に鉄筋を配設してから波板の表面上へのコンクリートを流し込みを行い、型枠を裏返して裏面板を外した後、型枠内への波板の設置前又は裏面板の取り外し後に溝部に断熱材を充填した波板の裏面上に鉄筋を配設してから波板の裏面上へのコンクリートを流し込みを行うこと、
をその好ましい態様として含むものである。
【発明の効果】
【００１１】
本発明の断熱性コンクリート板は、底部幅より開口部幅が狭い断面形状の溝部を有する波板を用いているので、断熱材が充填されていない波板の溝部上部に充填されたコンクリートが溝部に掴持され、溝部から抜け出にくい噛み合った状態となり、波板とコンクリートが強固に一体化され、高い強度が得られる。
【００１２】
また、本発明の断熱性コンクリート板の製造方法によれば、型枠を裏返すことで、波板の表面及び裏面共に、溝部に断熱材を充填した状態でコンクリートを流し込むことができる。従って、強度低下及びコストアップの原因となる防水シートを使用する必要がなく、強度に優れた断熱性コンクリート板を低コストで製造することができる。また、溝部への断熱材の充填を、開放されている溝部の上部から行うことができるので、作業性よく確実に断熱材を充填することができ、断熱材の充填ムラを防止しやすい。
【発明を実施するための最良の形態】
【００１３】
まず、本発明に係る断熱性コンクリート板の第１の例とその製造方法について図１〜図３で説明する。
【００１４】
図１は本発明に係る断熱性コンクリート板の第１の例を示す断面図、図２は図１に示される波板と断熱材の組み合わせ状態を示す斜視図、図３は図１に示される断熱性コンクリート板の製造を例にした本発明に係る断熱性コンクリート板の製造方法の説明図である。
【００１５】
図１及び図２に示されるように、本例の断熱性コンクリート板は、底部幅Ｗ1より開口部幅Ｗ2が狭い断面形状の溝部１が表裏交互に形成された波板２を、各溝部１に断熱材３が充填された状態で内包している。断熱材３は、溝部１を上部まで満たすことなく、溝部１の底部から全深さの途中まで充填されており、断熱材３が充填されていない各溝部１の上部には、波板２の表裏を覆うコンクリート４の一部が充填されていて、溝部１の上部内に掴持された状態となっている。このため、波板２とコンクリート４は、両者間の面接着力と、溝部１の上部における噛み合いとによって強固に一体化されている。
【００１６】
波板２の材質としては、高い強度が得やすいことから、通常、鋼板が用いられる。また、波板２の溝部１の断面形状は、Ｗ1＞Ｗ2であれば特に制限はないが、波板３の成形性を考慮すると、等脚台形状であることが好ましい。更に具体的には、断面等脚台形状の溝部１と断面逆等脚台形状の突部が交互に位置する波板２が好ましい。
【００１７】
断熱材３としては、例えばポリスチレン、ポリエチレン、ポリウレタン、ポリ塩化ビニルなどの合成樹脂の発泡体や、耐火性を向上させるために、これらの合成樹脂に水酸化アルミニウムなどの無機粉末を加えた発泡体、更には発泡コンクリートなどの無機発泡体を用いることができる。
【００１８】
断熱材３は、断熱性を高めるために、相隣接する表面側と裏面側の溝部１にそれぞれ充填され、溝部１の幅方向に相隣接する断熱材３の上部同志が溝部１の幅方向に重複高さＨで重なる厚さで溝部１に充填されていることが好ましい。また、各溝部１に充填された断熱材３は、厚みがほぼ等しいことが好ましく、それぞれ溝部１の深さの１／２を超える厚さで充填されていることが好ましい。更に、溝部１上部へのコンクリート４の食い込み量を十分確保すると共に、できるだけ高い重複高さＨが得られるよう、断熱材３の厚さが溝部の深さの３／５〜４／５であることがより好ましい。
【００１９】
図１に示される符号５は、本断熱性コンクリート板同志を接続する場合に用いるほぞ溝である。本発明に係る断熱性コンクリート板は、例えば建物の構造壁、間仕切り壁、床板などとして用いることができるもので、その用途に応じて、断熱性コンクリート板同志の接続用や躯体への取付用の凹部、凸部、金具などを設けておくことができる。
【００２０】
上記第１の例に係る断熱性コンクリート板の製造手順を説明する。
【００２１】
図３に示されるように、上下に対向する表面板６及び裏面板７と、表面板６及び裏面板７間の周側を囲む側面板８とからなる、閉鎖可能な型枠９を用いる。なお、表面板６と裏面板７は、上下いずれに位置していてもよいが、説明の便宜上、図３（ａ）に示される波板２の設置時の上側を表面板６とし、下側を裏面板７とする。また、同様に、図３（ａ）に示される波板２の設置時の上向き面を表面、下向き面を裏面とする。
【００２２】
表面板６及び裏面板７は、通常、平面方形で、例えばボルト・ナットや万力様の締め付け具などによって着脱可能に組み合わされている。また、側面板８は、通常、平面方形の枠状をなすもので、四辺が一体となったものを用いることもできるが、型抜きを容易にするために、四辺をそれぞれ別個に分離可能に組み合わせたものであることが好ましい。
【００２３】
まず、図３（ａ）に示されるように、表面板６を外した型枠９内に、図１及び図２で説明した波板２を設置する。この波板２の設置は、波板２と裏面板７間に、後述する波板２の裏面上へのコンクリート４の流し込み空間（図３（ｃ）参照）を確保できる状態で行うことが好ましい。波板２を裏面板７上に直に置き、波板２の表面上に型枠９内空間の約半分の量のコンクリート４を流し込んだ後に後述する型枠９の反転を行い、コンクリート４の流動によって波板２の裏面上へのコンクリート４の流し込み空間を得ることもできるが、波板２が不安定な状態で後述する型枠９の反転を行うことになるので、上記のように、波板２と裏面板７間に必要な空間を確保した状態で波板２を設置することが好ましい。また、波板２を型枠９内で安定させるために、波板２を型枠９に仮止めしておくこともできる。
【００２４】
上記波板２の裏面上へのコンクリート４の流し込み空間（図３（ｃ）参照）の確保は、型枠９の内周部に波板２の周縁部を引っ掛けて、波板２を裏面板７から浮かして設置することでも行うことができるが、波板２の撓みを防止するために、波板２と裏面板７間にスペーサ１０を介在させることが好ましい。また、波板２及びスペーサ１０を型枠９内で安定させるために、波板２及び／又はスペーサ１０を型枠９に仮止めしておくこともできる。
【００２５】
波板２の型枠９内への設置は、波板２の表面上にコンクリート４を流し込んだ場合（図３（ｂ）参照）に、このコンクリート４の裏面側への回り込みを抑制できる状態で行う。この回り込み抑制は、多量のコンクリート４が回り込まなければ足り、波板２と概略同じ大きさの型枠９を用いることで行うことができる。また、型枠９と波板２の間に大きな隙間を生じる場合には、この隙間を、例えば鉄板などの宛材やシール材などで塞ぐことで回り込みを抑制することができる。
【００２６】
図示される波板２は、予め各溝部１に必要な厚さの断熱材３が溝部１の底部側に充填されたものとなっているが、波板２を型枠９に設置した後に溝部１へ断熱材３を充填することもできる。また、溝部１への断熱材３の充填は、発泡性材料を溝部１へ適当量流し込んで溝部１内で発泡させることで行うこともできるが、断熱材３の厚さ制御が容易であることから、押出成形又はスライス成形により、断面形状を溝部１の対応領域の断面形状に合わせて成形した棒状の断熱材３を溝部１の開口部から底部へ押し込むことで充填（押し込み充填）することが好ましい。
【００２７】
波板２の各溝部１に予め断熱材３を充填しておく場合、前記底部幅Ｗ1より開口部幅Ｗ2が狭い断面形状の溝部１であると、溝部１内に断熱材３が掴み込まれた状態となるので、裏面側の溝部１に押し込み充填した断熱材３であっても落下やズレを防止しやすい。波板２を型枠９に設置した後に断熱材３を充填する場合、図３（ａ）の状態で充填できるのは波板２の表面側のみであるが、裏面側への充填については後述する。また、断熱材３を押し込み充填する場合、溝部１内に断熱材３を定位させやすくするために、断熱材３を波板２に接着することもできる。
【００２８】
上記型枠９内への波板２の設置後、図３（ｂ）に示されるように、型枠９内に設置され、少なくとも表面側の各溝部１に断熱材３が充填された波板２の表面上に、波板２の表面上の型枠９内が一杯になる量のコンクリート４を流し込み、表面板６を閉じ、型枠９を閉鎖する。
【００２９】
上記型枠９の閉鎖後、型枠９を反転させて裏返し、型枠９の裏面板７を上側、波板２の裏面を上向きとし、裏面板７を外し、スペーサ１０を用いた場合にはこれを取り出して図３（ｃ）の状態とする。
【００３０】
上記型枠９の反転は、例えば型枠９の対向する側面（一般的には短辺側の側面）に掴持用突起（図示されていない）を突出させておき、昇降装置による昇降と、回転装置による回転とが可能なチャックで掴持用突起を掴んで、型枠９を持ち上げて１８０°回転させることで行うことができる。
【００３１】
裏面側の溝部１に予め断熱材１が充填されていない場合、図３（ｃ）の反転状態において、裏面側の溝部１内に断熱材３を前記と同様にして充填することができる。
【００３２】
次いで、図３（ｄ）に示されるように、各溝部１に断熱材３が充填された波板２の裏面上に、波板２の裏面上の型枠９内が一杯になる量のコンクリート４を流し込み、裏面板７を閉じ、再び型枠９を閉鎖する。
【００３３】
上記裏面板７の閉鎖を省略し、図３（ｄ）において、裏面板７が外された状態で、必要に応じて振動を加えてコンクリート４の充填を促した後、そのまま養生を行ってもよいが、波板２の溝部１内での気泡の残留によるコンクリート４の未充填部の発生を防止するため、図３（ｄ）に示されるように裏面板７を閉じて型枠９を閉鎖し、この型枠９を波板２の溝部１の長さ方向に立て、振動を加えることが好ましい。この操作は、溝部１の幅方向に位置する型枠９の両側側面（一般的には長辺側の側面）に掴持用突起（図示されていない）を突出させておき、昇降装置による昇降と、回転装置による回転とが可能なチャックで掴持用突起を掴んで、型枠９を持ち上げて１８０°回転させ、振動機で加振することで行うことができる。この立て位置での加振を行った場合、型枠９を立てた状態で必要な養生を行うことが好ましい。
【００３４】
次に、本発明に係る断熱性コンクリート板の第２の例とその製造方法について図４〜図６で説明する。
【００３５】
図４は本発明に係る断熱性コンクリート板の第２の例を示す断面図、図５は図４に示される波板と断熱材と鉄筋の組み合わせ状態を示す斜視図、図６は図４に示される断熱性コンクリート板の製造を例にした本発明に係る断熱性コンクリート板の製造方法の説明図である。また、図４〜図６において図１〜図３と同じ符号は同じ部材又は部位を示す。
【００３６】
本例の断熱性コンクリート板は、図４及び図５に示されるように、基本的には図１及び図２で説明した第１の例と同様であるが、波板２の表面側と裏面側にそれぞれ鉄筋１１が配設されている点と、断熱性コンクリートパネルを躯体に取り付けるための取付金具１２が埋設されている点が相違している。以下、この相違点について説明する。その他の構成は図１及び図２で説明したとおりである。
【００３７】
鉄筋１１は、断熱性コンクリートパネルの強度を向上させるためのもので、溝部１の長さ方向と幅方向とに設けられて交差配置された井桁状をなしている。この鉄筋１１は、波板２に熔接しておくこともできるが、波板２の板厚によっては熔接時に反りを生じやすいことから、溶接することなく、波板２に添えたものであることが好ましい。また、波板２は、溝部１の幅方向に撓みやすいことから、この方向に重点を置いた補強ができるよう、鉄筋１１は、波板２の溝部１の長さ方向に沿って設ける鉄筋１１に比して、波板２の溝部１の幅方向に沿って設ける鉄筋１１の本数を多くするか太さを太くしておくことが好ましい。
【００３８】
取付金具１２は、例えば断熱性コンクリートパネルの四隅などに設けられるもので、一端側に雌ネジ部１３が切られた棒状部材で、雌ネジ部１３は、断熱性コンクリート板の表面に露出している。また、取付金具１２の雌ネジ部１３とは反対側の埋設側端部は、波板２を貫通して、波板２を挟んで反対側の鉄筋１１配設部分まで入り込んでおり、当該埋設側端部を貫通する取付ロッド１４を、波板２を挟んで反対側の鉄筋１１に掛けた状態でコンクリート４に埋設されている。従って、取付金具１２に加わる荷重を、鉄筋１１で分散支持することが可能となっている。
【００３９】
なお、上記取付金具１２は、断熱性コンクリート板を建物の外壁として躯体に取り付ける場合の一例であり、用途に応じて他の取付金具を設けることも可能である。
【００４０】
上記第２の例に係る断熱性コンクリート板の製造手順は、基本的には前記第１の例に係る断熱性コンクリート板の製造手順と同じであるので、以下に相違点を中心に説明する。
【００４１】
まず、図６（ａ）に示されるように、型枠９内に波板２と鉄筋１１と取付金具１２を設置する。これらの設置は、最初に波板２を設置し、その後鉄筋１１と取付金具１２を設置する順で行うことができる。
【００４２】
波板２の型枠９内への設置は、前述したように、必要に応じてスペーサ１０を用いて行うことができる。また、波板２の溝部１への断熱材３の充填も、前述と同様に、波板２の型枠９内への設置前に表裏両面の溝部１に対して予め行っておいても、波板２を型枠９内へ設置した後、裏面側の溝部１には後で充填することとして、表面側の溝部１に対してのみ行ってもよい。
【００４３】
少なくとも表面側の溝部１に断熱材３を充填した波板２の表面上に、鉄筋１１を配設すると共に、取付金具１２の設置箇所の断熱材３及び波板２に削孔し、鉄筋１１に取付ロッド１４を引っ掛けてぶら下げるようにして取付金具１２を設置し、図６（ａ）の状態とする。但し、取付金具１２の設置箇所の断熱材３及び波板２への削孔は、前もって施しておくこともできる。
【００４４】
鉄筋１１の配設は、図４及び図５で説明した井桁状への組み立てを波板２上で行ってもよいが、予め図４及び図５で説明した井桁状に組み立てたものを、少なくとも表面側の溝部１に断熱材３を充填した波板２の表面上に乗せることで行うことができる。この時、必要に応じて鉄筋１１を波板２に熔接することもできるが、前述したように、波板２の反りを防止するため、通常は熔接せずに乗せるだけとすることが好ましい。
【００４５】
上記のようにして図６（ａ）の状態とした後、図６（ｂ）に示されるように、型枠９内に設置され、少なくとも表面側の各溝部１に断熱材３が充填された波板２の表面上に、波板２の表面上の型枠９内が一杯になる量のコンクリート４を流し込み、表面板６を閉じ、型枠９を閉鎖する。
【００４６】
上記型枠９の閉鎖後、型枠９を反転させて裏返し、型枠９の裏面板７を上側、波板２の裏面を上向きとし、裏面板７を外し、スペーサ１０を用いた場合にはこれを取り出す。また、裏面側の溝部１に予め断熱材１が充填されていない場合、裏面側の溝部１内に断熱材３を前記と同様にして充填し、各溝部１に断熱材３が充填された波板２の裏面上に前記表面側と同様にして鉄筋１１を配設して図６（ｃ）の状態とする。
【００４７】
次いで、図６（ｄ）に示されるように、各溝部１に断熱材３が充填された波板２の裏面上に、波板２の裏面上の型枠９内が一杯になる量のコンクリート４を流し込み、裏面板７を閉じ、再び型枠９を閉鎖し、この型枠９を波板２の溝部１の長さ方向に立て、振動を加えた後、必要な養生を行うことが好ましい。但し、上記裏面板７の閉鎖を省略し、図６（ｄ）において、裏面板７が外された状態で必要に応じて加振した後、そのまま養生を行うことも可能である。
【００４８】
本発明の断熱性コンクリート板の製造方法は、上述のように、底部幅より開口部幅が狭い断面形状の溝部１を有する波板２を用いた本発明に係る断熱性コンクリート板の製造に用いることができる他、図７に示されるような、底部幅と開口部幅がほぼ等しい断面形状の溝部１を有する波板２を用いた断熱性コンクリート板の製造や、図８に示されるような、底部幅より開口部幅が広い断面形状の溝部１を有する波板２を用いた断熱性コンクリート板の製造にも用いることができる。この図７や図８に示される波板２を用いた断熱性コンクリートパネルの製造は、図３又は図６で説明した製造手順における波板２を図７又は図８に示される波板２に置き換えることで行うことができる。
【図面の簡単な説明】
【００４９】
【図１】本発明に係る断熱性コンクリート板の第１の例を示す断面図である。
【図２】図１に示される波板と断熱材の組み合わせ状態を示す斜視図である。
【図３】図１に示される断熱性コンクリート板の製造を例にした本発明に係る断熱性コンクリート板の製造方法の説明図である。
【図４】本発明に係る断熱性コンクリート板の第２の例を示す断面図である。
【図５】図４に示される波板と断熱材と鉄筋の組み合わせ状態を示す斜視図である。
【図６】図４に示される断熱性コンクリート板の製造を例にした本発明に係る断熱性コンクリート板の製造方法の説明図である。
【図７】本発明の断熱性コンクリートパネルの製造方法に用いることができる波板の他の例を示す斜視図である。
【図８】本発明の断熱性コンクリートパネルの製造方法に用いることができる波板の更なる他の例を示す斜視図である。
【符号の説明】
【００５０】
１    溝部
２    波板
３    断熱材
４    コンクリート
５    ほぞ溝
６    表面板
７    裏面板
８    側面板
９    型枠
１０  スペーサ
１１  鉄筋
１２  取付金具
１３  雌ネジ部
１４  取付ロッド
【図１】
2005248455.tif 000003
【図２】
2005248455.tif 000004
【図３】
2005248455.tif 000005
【図４】
2005248455.tif 000006
【図５】
2005248455.tif 000007
【図６】
2005248455.tif 000008
【図７】
2005248455.tif 000009
【図８】
2005248455.tif 000010